(57)【要約】  【構成】  印字体を保持する印字体保持部と前記印字体からなる印判において、前記印字体が連続多孔質の熱可塑性樹脂から成り、印字体の印面部分が球体形状の一部を形成していることを特徴とする印判である。【効果】本発明の印判は、連続多孔質体の熱可塑性樹脂からなる印字体であり印面部分が球体形状の凸形状であり、赤外線や熱板で印字体に含浸されたインキの滲み出し部分と非滲み出し部分を有する印判であるので、本発明の印判を凹凸面を有する被捺印物にハラツキが生じること無く捺印可能となる。よって曲面や凹凸面を有する非捺印物にハラツキ現象のない鮮明で綺麗な印影が得られる。【選択図】            図１
2005081741.tif 000002
【特許請求の範囲】
【請求項１】
印字体を保持する印字体保持部と前記印字体からなる印判において、前記印字体が連続多孔質の熱可塑性樹脂から成り、印字体の印面部分が球体形状の一部を形成していることを特徴とする印判。
【発明の詳細な説明】
【技術分野】
【０００１】
本願発明は、連続多孔質の熱可塑性樹脂からなる印字体からなる印判に関するものである。
【背景技術】
【０００２】
従来より、熱可塑性樹脂を使用した印字体の印判には多くの出願が存在する。
一例として、本出願人と同一である熱可塑性樹脂を使用した特開平１０−１１４１３２号      （以下（イ）とする）がある。
（イ）は、熱可塑性樹脂（特に、ポリエチレン樹脂）を使用し、同時に発熱剤となるカーボンを混在させた連続多孔質の印字体である。
（イ）は、平板状の印字体であり、前記印字体の表面に印面を赤外線と原稿により成形している。
【０００３】
具体的には、原稿は透明素材（ポリプロピレン等）で熱可塑性樹脂より溶融温度の高い素材によるものである。この透明素材に印面となる文字や図等を表し原稿としている。そして、原稿の文字や図等の部分は選択的に赤外線を遮蔽させ文字や図等の不存在の部分を赤外線が透過し熱可塑性樹脂の表面に到達し、発熱剤（カーボン）を発熱させ多孔質の熱可塑性樹脂を発熱させ多孔質部分を溶融し、多孔質を塞ぎインキが滲み出さない部分となり、文字や図等の存在下では多孔質部分が残りインキが滲み出す部分となる。
こうして、印字体に印面が形成され印判となる。こうした印判は、平面であり凹凸面、球体面や曲面等への捺印には不向きである。更にこうした平板状の印字体凸部に頻繁に使用した場合は、印面の損傷につながり鮮明な印面を得ることが出来ない。
【０００４】
また、印面が曲面とした特開平１１−９１２１９号（以下（ロ）とする。）がある。
（ロ）は、弾性材からなる印鑑の印面の輪郭形状を曲面にしたものである。弾性材は、「合成ゴムのような」とあり、また「印面の中心部が外方に突出した曲面となっており、前記曲面は曲率半径が一様の球面状であっても良い」とある。
しかし、（ロ）は熱可塑性樹脂の印面ではなく、その目的・効果は、印鑑が紙面に対して垂直でなく傾いたまま押圧されても、曲面形状の突出部が最初に紙面に接触して最終的に平坦な紙面に追随するように変形し均一な印影を得るというものである。
しかし、合成ゴム（ＮＢＲ等）の多孔質体では印面の凹凸両方からインキが滲み出し、腹付と言う現象が生じ綺麗な印影を得ることが出来ない。
したがって、本発明は、（ロ）と明らかに目的・効果を異にしており、全く異なる発明である。
【０００５】
更に、実開昭４９−１８６０４号（以下、（ハ）とする。）がある。（ハ）は、凸曲面印刷用印版であり、インキを軟質弾性体に添付して、次に捺印対象物に押圧転写する。
図１と図２から明らかなように、インク版からインクを転写して被捺印物に捺印する。
請求の範囲は、被捺印物の表面に相似した凹弧凸盤面を形成している。特に図３は凹印面でインキ自給式の印判の構成であるが、印面部が凹形状をしており、印面と見られる材質はポリウレタンパットである。こうしたことから、本発明は、先願（ハ）と明らかにその構成を異にしている。
【０００６】
実公昭５１−１８８０８号（以下、（二）とする。）がある。（ロ）は、詳細な説明には記載はないが第１図に見られるように凸面形状を有している。詳細な説明の記載には、印刷用のゴム印とあり、浸透印でもなく、ましてや連続多孔質の熱可塑性樹脂（ポリオレフィン系樹脂等）でもない。したがって、本発明は（二）と明らかに構成を異にしている。
【特許文献１】特開平１０−１１４１３２号公報（請求の範囲）
【特許文献２】特開平１１−９１２１９号公報（段落「０００８」）
【特許文献３】実開昭４９−１８６０４号公報（第１図、第２図、第３図、明細書第３頁）
【特許文献４】実公昭５１−１８８０８号（第１図、明細書第３段落）
【発明の開示】
【発明が解決しようとする課題】
【０００７】
本発明が解決しようとする課題は、被捺印面の凹凸に対して、従来からの平板状の印面特に連続気泡を有する合成ゴムから成る印字体では、鮮明で綺麗な印影を得ることが出来ない。この場合、印面も印影として映る部分が周囲より高くなってはいるが、印面全体より含浸されたインキが滲み出す。特に、被捺印物が凸部分（例えば卵であった場合）などでは印影としない部分が被捺印物の表面に当接され捺印されることとなる。この現象をハラツキと称する。また、こうした合成ゴムの連続多孔質体では、凸形状の印面としただけでは余計に前記ハラツキの現象が生じ、鮮明で綺麗な印影を得ることは出来ない。
【０００８】
したがって、容易に印面加工が出来、凸形状の被捺印物に対してハラツキが防止でき鮮明で綺麗な印影を得ることがきる印判を提供する。
【課題を解決するための手段】
【０００９】
印字体を保持する印字体保持部と前記印字体からなる印判において、前記印字体が連続多孔質の熱可塑性樹脂から成り、印字体の印面部分が球体形状の一部を形成していることを特徴とする印判である。
【発明の効果】
【００１０】
本発明の印判は、連続多孔質体の熱可塑性樹脂からなる印字体であり印面部分が球体形状の凸形状であり、赤外線や熱板で印字体に含浸されたインキの滲み出し部分と非滲み出し部分を有する印判であるので、本発明の印判を凹凸面を有する被捺印物にハラツキが生じること無く捺印可能となる。よって曲面や凹凸面を有する非捺印物にハラツキ現象のない鮮明で綺麗な印影が得られる。
【００１１】
また本発明の印判は、熱可塑性樹脂の印字体を用い、赤外線又は熱板により手軽で容易に印面を作成できるものである。また、凹凸面に捺印し、インキが滲み出さない溶融印面に傷が対いた際にも容易に修復可能である。
【発明を実施するための最良の形態】
【００１２】
本発明の印判は、連続多孔質体の熱可塑性樹脂からなる印字体を使用しており、印面部分は球体形状としている。前記印字体は、印面作成のための原稿と赤外線発光する発光体を用いて印面を作成する方法と熱板を用いる方法がある。作成された印面を有する印字体は、保持部に接着又は嵌着又は取替え自在に装着される。
【実施例１】
【００１３】
本発明の実施例１を図１、図２、図３、図４により詳細に説明する。
１は、球体形状の一部を形成する印字体であり、材質は特に赤外線が照射されると溶融する特徴を有し、耐インキ性を備えた無数の連続気孔を有する多孔質体でポリオレフィン系、ポリアミド系その他殆どの熱可塑性樹脂や熱可塑性エラストマーが使用できる。赤外線の照射で容易に溶融し耐インキ性に優れ、経済面と製造面を考慮すると、印字体の溶融温度が５０〜８０℃程度の低融点のポリオレフィン系樹脂で特にはポリエチレン樹脂を使用する。
【００１４】
この熱可塑性の多孔質印材に混在させる赤外線により発熱する発熱材微粉末としてはカーボンブラックが一般的に使用できる。他の発熱材微粉末は、アルミニューム、真鍮等の金属微粉末が使用できる。特には発熱微粉末については赤外線で発熱し熱可塑性樹脂を溶融するものであればその物質を限定するものではない。
【００１５】
２は、原稿シートであり前記印字体１に対し、印面となる文字または図形が形成される部分と残存部分とが赤外線透過の大小により区画形成されている原稿シートである。
原稿シート２は、透明又は半透明のシートであれば良く、材質は、印字体の素材よりも熱溶融温度の高い物質であることが必要である。文字又は図形は、赤外線を吸収及び反射する物質であればその材質は問わない。吸収する物質としては、カーボンや前記印字体に使用した金属微粉末が使用できる。また、赤外線を反射する物質としては、鱗片状のアルミニュームやシート状のアルミニューム部材等が使用可能である。
【００１６】
３は、保持部であり、印字体１の印面と反対側を接着剤又は、印字体を保持固定する部材等で固定出来る物である。また、保持部３は印判を押印時に手で保持するものである。
本発明には無いが従来より公知のインキ補充口を設けて、印字体１にインキ補充を行うことも可能である。
本発明の球体形状の一部を形成する印字体であり、本発明の実施例は、半球状の金型に熱可塑性樹脂を注入し、成形する。すると連続多孔質体の半球状の印字体を作成することができる。
【００１７】
印面作成方法は、原稿シート２を印判捺印時に鏡像にならない様に原稿シートをセットする。そして、原稿シート２側より光（特に赤外線）を数回放射すると原稿シート２に文字や図等を形成している赤外線を吸収若しくは反射する材質により放射された赤外線を前記文字や図等の部分で遮断する。同時に、その他の部分は赤外線を透過し、印字体1の表面まで到達する。すると、印字体１に混在された発熱財微粉末がこの赤外線により発熱し多孔質の部分をこの熱で溶融することになる。するとこの部分はインキが滲み出ない部分となり多孔質部分を閉鎖する。また前記した文字や図等の存在している部分は印字体の多孔質部分が残りインキが滲み出ることが出来る。
【００１８】
次に熱板４（特に球体形状の熱板４）を使用した場合には、前記熱板４内面に凹部として印影の文字や図等になり、多孔質部分が残りインキが滲み出す部分となる。残りの部分は、熱板４の熱により多孔質部分が溶融して密閉されインキが滲み出さない。
こうして、印字体が作成される。
こうした印判は、非捺印物が凹凸面若しくはフラット面はもちろんそれ以外の被捺印面に対して均一な押圧力が作用し、凹凸面にも対応できるものである。
【００１９】
パッド印刷のパッドとは異なりインキの転写を行う必要も無く、連続して捺印することが出来る。また、印判がインキ自給式であり熱可塑性樹脂を溶融させて印面を作成する方法であるので印影となる部分のみがインキが滲み出す部分となるため合成ゴムで多孔質の球体形状とした時とは異なり汚れを防止でき綺麗な印影が得られる。
また、印面のインキが滲み出さない溶融された部分が破損した場合その修復も光や熱板等により容易に修復可能である。
【図面の簡単な説明】
【００２０】
【図１】本発明の実施例の一部斜視図。
【図２】本発明の実施例の断面図。
【図３】本発明の実施例の赤外線使用時の印面作成説明図。
【図４】本発明の実施例の熱板使用時の印面作成説明図。
【符号の説明】
【００２１】
１  ：印字体
２  ：原稿シート
３  ：保持部
４  ：熱板
【図１】
2005081741.tif 000003
【図２】
2005081741.tif 000004
【図３】
2005081741.tif 000005
【図４】
2005081741.tif 000006